(57)【要約】      （修正有）【課題】電気接続にはんだ溶接を用いられなくても、十分な導電機能を有し、発光ダイオードチップの装着や取替えに迅速と便利な発光ダイオード照明装置を提供する。【解決手段】ランプカバーと、透明板と、光反射ホルダと、発光ダイオード基板と、発光ダイオードチップと、ランプ台座と、口金と、ねじからなる。ランプカバーは、開口の内側に、透明板が嵌合する嵌合溝を有し、光反射ホルダは、給電ホルダを凸設するチップ台座を有する。給電板上方の凸部を給電ホルダに嵌合固定し、発光ダイオードチップの、チップと導電線を一体に封止した陰陽極給電接続板を給電ホルダに穿入嵌合固定し、給電板上方の凸部と導通する。【選択図】図２
0003160499.tif 000002
【実用新案登録請求の範囲】
【請求項１】
発光ダイオード照明装置であって、その構造は、
ランプカバーと、透明板と、光反射ホルダと、複数の給電板と、発光ダイオード基板と、複数の発光ダイオードチップと、ランプ台座と、口金と、複数のねじからなり、
ランプカバーは、四角形の錐状な開口の薄殻で、開口の内側に、嵌合溝を有し、周囲の壁に、複数の放熱孔を設け、該壁の内に、複数のねじ柱孔を設け、
透明板は、透明材質の薄板で、ランプカバーの嵌合溝に嵌合し、
光反射ホルダは、ランプカバーと相対する四角形のもので、なかに、複数のチップ台座を設け、各チップ台座の中央下に、給電ホルダを凸設し、光反射ホルダの外側に、複数のねじ柱孔を有し、
給電板は、十字形な導体で、上方のチップ台座の給電ホルダのなかに、嵌合固定し、
回路基板は、ランプカバーと相対する四角形の回路板で、ランプカバーのねじ柱孔と相対する位置に、ねじ孔を有し、光反射ホルダの各給電ホルダの相対する位置に、定位溝を有し、給電板の下方の凸部に、嵌入させ、光反射ホルダのねじ柱孔の相対する位置に、ねじ孔を有し、ねじで、ねじ孔をねじ柱孔に、締め付け、
発光ダイオードチップは、透明樹脂で複数のチップと複数の導電線と陰陽極給電接続板を一体に封止するもので、該陰陽極給電接続板を、チップ台座の給電ホルダのなかに、嵌合固定し、
ランプ台座は、ランプカバー下方開口と相対する四角形の階段状なもので、外の階段面に、ランプカバーの各ねじ柱孔と相対する位置に、ねじ孔を有し、ねじで、各ねじ孔とねじ柱孔を締め付け一体に固定し、外の階段面下の側壁に、複数の放熱孔を設け、ランプ台座の中心下方に巻き環を凸設し、
口金は、普通電球の口金なものであり、ランプ台座下方の巻き環８９に取り付け、
光反射ホルダには、複数のチップ台座を設け、各チップ台座の中央下に、給電ホルダを凸設し、給電板上方の凸部を給電ホルダのなかに嵌合固定し、発光ダイオードチップの陰陽極給電接続板を給電ホルダに穿入嵌合固定し、給電板の上方の凸部とも、嵌合導通するので、発光ダイオードチップの電気接続にはんだ溶接を用いられなくても、十分な導電機能を有するとなり、照明装置の発光ダイオードチップの装着と取替えが迅速と便利にできることを特徴とする発光ダイオード照明装置。
【請求項２】
前記ランプ台座の給電ホルダは、複数の陰陽極給電接続板の嵌合固定ができるので、複数の発光ダイオードチップのランプとなることを特徴とする請求項１に記載の発光ダイオード照明装置。
【考案の詳細な説明】
【技術分野】
【０００１】
本発明は、発光ダイオード照明装置に関し、特に、発光ダイオードの取り付けは、はんだ溶接なしの嵌め付けで固定するので、発光ダイオードの装着と取替えが迅速と便利の発光ダイオード照明装置に関する。
【背景技術】
【０００２】
従来の発光ダイオード照明装置は、発光ダイオードチップを給電接続板の上端に取り付け、給電接続板の下端に、給電板とはんだ溶接で接続する。はんだ溶接の接続が、より高温が発生し、チップに損害を与え、発光ダイオードの効率も悪化する。さらに、照明装置の発光ダイオードチップ装着と取替えに、手数と時間がかかるので、コストが高めるとなる。
【考案の開示】
【考案が解決しようとする課題】
【０００３】
前述従来の発光ダイオード照明装置は、発光ダイオードチップを給電接続板の上端に取り付け、給電接続板の下端に、給電板とはんだ溶接で接続する。はんだ溶接の接続が、より高温が発生し、チップに損害を与え、発光ダイオードの効率も悪化し、さらに、照明装置の発光ダイオードチップ装着と取替えに、手数と時間がかかるので、コストが高めるとなる欠点がある。
この考案は、以上の問題を解決し、電気接続にはんだ溶接を用いられなくても、十分な導電機能を有し、発光ダイオードチップの装着や取替えに迅速と便利な発光ダイオード照明装置を提供することを課題とする。
【課題を解決するための手段】
【０００４】
そこで、本考案者は従来の技術に見られる欠点に鑑み鋭意研究を重ねた結果、発光ダイオード照明装置は、
ランプカバーと、透明板と、光反射ホルダと、複数の給電板と、発光ダイオード基板と、複数の発光ダイオードチップと、ランプ台座と、口金と、複数のねじからなり、
ランプカバーは、四角形の錐状な開口の薄殻で、開口の内側に、嵌合溝を有し、周囲の壁に、複数の放熱孔を設け、該壁の内に、複数のねじ柱孔を設け、
透明板は、透明材質の薄板で、ランプカバーの嵌合溝に嵌合し、
光反射ホルダは、ランプカバーと相対する四角形のもので、なかに、複数のチップ台座を設け、各チップ台座の中央下に、給電ホルダを凸設し、光反射ホルダの外側に、複数のねじ柱孔を有し、
給電板は、十字形な導体で、上方のチップ台座の給電ホルダのなかに、嵌合固定し、
回路基板は、ランプカバーと相対する四角形の回路板で、ランプカバーのねじ柱孔と相対する位置に、ねじ孔を有し、光反射ホルダの各給電ホルダの相対する位置に、定位溝を有し、給電板の下方の凸部に、嵌入させ、光反射ホルダのねじ柱孔の相対する位置に、ねじ孔を有し、ねじで、ねじ孔をねじ柱孔に、締め付け、
発光ダイオードチップは、透明樹脂で複数のチップと複数の導電線と陰陽極給電接続板を一体に封止するもので、該陰陽極給電接続板を、チップ台座の給電ホルダのなかに、嵌合固定し、
ランプ台座は、ランプカバー下方開口と相対する四角形の階段状なもので、外の階段面に、ランプカバーの各ねじ柱孔と相対する位置に、ねじ孔を有し、ねじで、各ねじ孔とねじ柱孔を締め付け一体に固定し、外の階段面下の側壁に、複数の放熱孔を設け、ランプ台座の中心下方に巻き環を凸設し、
口金は、普通電球の口金なものであり、ランプ台座下方の巻き環８９に取り付け、
光反射ホルダには、複数のチップ台座を設け、各チップ台座の中央下に、給電ホルダを凸設し、給電板上方の凸部を給電ホルダのなかに嵌合固定し、発光ダイオードチップの陰陽極給電接続板を給電ホルダに穿入嵌合固定し、給電板の上方の凸部とも、嵌合導通するので、発光ダイオードチップの電気接続にはんだ溶接を用いられなくても、十分な導電機能を有するとなり、照明装置の発光ダイオードチップの装着と取替えが迅速と便利にできる。
【考案の効果】
【０００５】
この考案によれば、発光ダイオード照明装置は、発光ダイオードの取り付けは、はんだ溶接なしの嵌め付けで固定するので、照明装置の発光ダイオードの装着と取替えが迅速と便利となる。発光ダイオード照明装置の使用効率と使用寿命の向上に貢献する。
【実施例】
【０００６】
図１，２に、この考案の発光ダイオード照明装置の実施例より構造の説明図を開示する。図面によれば、この考案による発光ダイオード照明装置は、ランプカバー１と、透明板２と、光反射ホルダ３と、複数の給電板５と、発光ダイオード基板６と、複数の発光ダイオードチップ７と、ランプ台座８と、口金９と、複数のねじＡからなり、ランプカバー１は、四角形の錐状な開口の薄殻で、開口の内側に、嵌合溝１２を有し、周囲の壁に、放熱孔１３を設け、該壁の内に、複数のねじ柱孔１５を設け、透明板２は、透明材質の薄板で、ランプカバー１の嵌合溝１２に嵌合し、光反射ホルダ３は、ランプカバー１と相対する四角形のもので、なかに、複数のチップ台座３１を設け、各チップ台座３１の中央下に、給電ホルダ３５を凸設し、光反射ホルダ３の外側に、複数のねじ柱孔３６を有し、給電板５は、十字形な導体で、上方のチップ台座３１の給電ホルダ３５のなかに、嵌合固定し、回路基板６は、ランプカバー１と相対する四角形の回路板で、ねじ柱孔１５と相対する位置に、ねじ孔６１を有し、光反射ホルダ３の各給電ホルダ３５の相対する位置に、定位溝６５を有し、給電板５の下方の凸部に、嵌入させ、光反射ホルダ３のねじ柱孔３６の相対する位置に、ねじ孔６３を有し、ねじＡで、ねじ孔６３をねじ柱孔３６に、締め付け、発光ダイオードチップ７は、透明樹脂で複数のチップと複数の導電線と陰陽極の給電接続板７１，７２を一体に封止するもので、該給電接続板７１，７２を、チップ台座３１の給電ホルダ３５のなかに、嵌合固定し、給電板５の上方の凸部とも、嵌合導通するので、発光ダイオードチップ７の電気接続にはんだ溶接を用いられなくても、十分な導電機能を有するとなり、ランプ台座８は、ランプカバー１下方開口と相対する四角形の階段状なもので、外の階段面に、ランプカバー１の各ねじ柱孔１５と相対する位置に、ねじ孔８１を有し、前記ねじＡで、各ねじ孔８１とねじ孔６１とねじ柱孔１５を締め付け一体に固定し、外の階段面下の側壁に、複数の放熱孔８３を設け、ランプ台座８の中心下方に巻き環８９を凸設し、口金９は、普通電球の口金なものであり、ランプ台座８下方の巻き環８９に取り付ける。
図３〜６に示すように、光反射ホルダ３には、複数のチップ台座３１を設け、各チップ台座３１の中央下に、給電ホルダ３５を凸設し、給電板５上方の凸部を給電ホルダ３５のなかに嵌合固定し、発光ダイオードチップ７の給電接続板７１，７２を給電ホルダ３５に穿入嵌合固定し、給電板５の上方の凸部とも、嵌合導通するので、発光ダイオードチップ７の電気接続にはんだ溶接を用いられなくても、十分な導電機能を有するとなる。さらに、各放熱孔１３，６６，８３は、良き対流な放熱効果ができるとなる。
図７〜８に示すように、別の実施例として、複数の発光ダイオード照明装置を一体に取り付け、同時に発光するとなる。
【図面の簡単な説明】
【０００７】
【図１】この考案の立体斜視図である。
【図２】この考案の分解斜視図である。
【図３】この考案の立体断面図である。
【図４】この考案の給電と固定の説明図である。
【図５】この考案の給電ホルダの説明図である。
【図６】この考案の発光ダイオードの発光機能の説明図である。
【図７】この考案の別実施例の説明図である。
【図８】この考案の別実施例の分解斜視図である。
【符号の説明】
【０００８】
１         ランプカバー
１２       嵌合溝
１３       放熱孔
１５       ねじ柱孔
２         透明板
３         光反射ホルダ
３１       チップ台座
３５       給電ホルダ
３６       ねじ柱孔
５         給電板
６         発光ダイオード基板
６１       ねじ孔
６３       ねじ孔
６５       定位溝
６６       放熱孔
７         発光ダイオードチップ
７１       給電接続板
７２       給電接続板
８         ランプ台座
８１       ねじ孔
８３       放熱孔
８９       巻き環
９         口金
Ａ         ねじ
【図１】
0003160499.tif 000003
【図２】
0003160499.tif 000004
【図３】
0003160499.tif 000005
【図４】
0003160499.tif 000006
【図５】
0003160499.tif 000007
【図６】
0003160499.tif 000008
【図７】
0003160499.tif 000009
【図８】
0003160499.tif 000010
【手続補正書】
【提出日】平成22年4月23日(2010.4.23)
【手続補正１】
【補正対象書類名】実用新案登録請求の範囲
【補正対象項目名】全文
【補正方法】変更
【補正の内容】
【実用新案登録請求の範囲】
【請求項１】
発光ダイオード照明装置であって、その構造は、
ランプカバーと、透明板と、光反射ホルダと、複数の給電板と、発光ダイオード基板と、複数の発光ダイオードチップと、ランプ台座と、口金と、複数のねじからなり、
該ランプカバーは、四角形の錐状な開口の薄殻で、開口の内側に、嵌合溝を有し、周囲の壁に、複数の放熱孔を設け、該壁の内に、複数のねじ柱孔を設け、
該透明板は、透明材質の薄板で、ランプカバーの嵌合溝に嵌合し、
該光反射ホルダは、ランプカバーと相対する四角形のもので、なかに、複数のチップ台座を設け、各チップ台座の中央下に、給電ホルダを凸設し、光反射ホルダの外側に、複数のねじ柱孔を有し、
該給電板は、十字形な導体で、上方のチップ台座の給電ホルダのなかに、嵌合固定し、
該回路基板は、ランプカバーと相対する四角形の回路板で、ランプカバーのねじ柱孔と相対する位置に、ねじ孔を有し、光反射ホルダの各給電ホルダの相対する位置に、定位溝を有し、給電板の下方の凸部に、嵌入させ、光反射ホルダのねじ柱孔の相対する位置に、ねじ孔を有し、ねじで、ねじ孔をねじ柱孔に、締め付け、
該発光ダイオードチップは、透明樹脂で複数のチップと複数の導電線と陰陽極給電接続板を一体に封止するもので、該陰陽極給電接続板を、チップ台座の給電ホルダのなかに、嵌合固定し、
該ランプ台座は、ランプカバー下方開口と相対する四角形の階段状なもので、外の階段面に、ランプカバーの各ねじ柱孔と相対する位置に、ねじ孔を有し、ねじで、各ねじ孔とねじ柱孔を締め付け一体に固定し、外の階段面下の側壁に、複数の放熱孔を設け、ランプ台座の中心下方に巻き環を凸設し、
該口金は、従来の白熱電球の口金と同様であり、ランプ台座下方の巻き環に取り付け、
該光反射ホルダには、複数のチップ台座を設け、各チップ台座の中央下に、給電ホルダを凸設し、給電板上方の凸部を給電ホルダのなかに嵌合固定し、発光ダイオードチップの陰陽極給電接続板を給電ホルダに穿入嵌合固定し、給電板の上方の凸部とも、嵌合導通するので、発光ダイオードチップの電気接続にはんだ溶接を用いられなくても、十分な導電機能を有するとなり、照明装置の発光ダイオードチップの装着と取替えが迅速と便利にできることを特徴とする発光ダイオード照明装置。
【請求項２】
前記ランプ台座の給電ホルダは、複数の陰陽極給電接続板の嵌合固定ができるので、複数の発光ダイオードチップのランプとなることを特徴とする請求項１に記載の発光ダイオード照明装置。
【手続補正２】
【補正対象書類名】明細書
【補正対象項目名】０００４
【補正方法】変更
【補正の内容】
【０００４】
そこで、本考案者は従来の技術に見られる欠点に鑑み鋭意研究を重ねた結果、発光ダイオード照明装置は、
ランプカバーと、透明板と、光反射ホルダと、複数の給電板と、発光ダイオード基板と、複数の発光ダイオードチップと、ランプ台座と、口金と、複数のねじからなり、
該ランプカバーは、四角形の錐状な開口の薄殻で、開口の内側に、嵌合溝を有し、周囲の壁に、複数の放熱孔を設け、該壁の内に、複数のねじ柱孔を設け、
該透明板は、透明材質の薄板で、ランプカバーの嵌合溝に嵌合し、
光反射ホルダは、ランプカバーと相対する四角形のもので、なかに、複数のチップ台座を設け、各チップ台座の中央下に、給電ホルダを凸設し、光反射ホルダの外側に、複数のねじ柱孔を有し、
給電板は、十字形な導体で、上方のチップ台座の給電ホルダのなかに、嵌合固定し、
該回路基板は、ランプカバーと相対する四角形の回路板で、ランプカバーのねじ柱孔と相対する位置に、ねじ孔を有し、光反射ホルダの各給電ホルダの相対する位置に、定位溝を有し、給電板の下方の凸部に、嵌入させ、光反射ホルダのねじ柱孔の相対する位置に、ねじ孔を有し、ねじで、ねじ孔をねじ柱孔に、締め付け、
発光ダイオードチップは、透明樹脂で複数のチップと複数の導電線と陰陽極給電接続板を一体に封止するもので、該陰陽極給電接続板を、チップ台座の給電ホルダのなかに、嵌合固定し、
該ランプ台座は、ランプカバー下方開口と相対する四角形の階段状なもので、外の階段面に、ランプカバーの各ねじ柱孔と相対する位置に、ねじ孔を有し、ねじで、各ねじ孔とねじ柱孔を締め付け一体に固定し、外の階段面下の側壁に、複数の放熱孔を設け、ランプ台座の中心下方に巻き環を凸設し、
該口金は、従来の白熱電球の口金と同様であり、ランプ台座下方の巻き環に取り付け、
該光反射ホルダには、複数のチップ台座を設け、各チップ台座の中央下に、給電ホルダを凸設し、給電板上方の凸部を給電ホルダのなかに嵌合固定し、発光ダイオードチップの陰陽極給電接続板を給電ホルダに穿入嵌合固定し、給電板の上方の凸部とも、嵌合導通するので、発光ダイオードチップの電気接続にはんだ溶接を用いられなくても、十分な導電機能を有するとなり、照明装置の発光ダイオードチップの装着と取替えが迅速と便利にできる。
【手続補正３】
【補正対象書類名】明細書
【補正対象項目名】０００６
【補正方法】変更
【補正の内容】
【０００６】
図１，２に、この考案の発光ダイオード照明装置の実施例より構造の説明図を開示する。図面によれば、この考案による発光ダイオード照明装置は、ランプカバー１と、透明板２と、光反射ホルダ３と、複数の給電板５と、発光ダイオード基板６と、複数の発光ダイオードチップ７と、ランプ台座８と、口金９と、複数のねじＡからなり、ランプカバー１は、四角形の錐状な開口の薄殻で、開口の内側に、嵌合溝１２を有し、周囲の壁に、放熱孔１３を設け、該壁の内に、複数のねじ柱孔１５を設け、透明板２は、透明材質の薄板で、ランプカバー１の嵌合溝１２に嵌合し、光反射ホルダ３は、ランプカバー１と相対する四角形のもので、なかに、複数のチップ台座３１を設け、各チップ台座３１の中央下に、給電ホルダ３５を凸設し、光反射ホルダ３の外側に、複数のねじ柱孔３６を有し、給電板５は、十字形な導体で、上方のチップ台座３１の給電ホルダ３５のなかに、嵌合固定し、回路基板６は、ランプカバー１と相対する四角形の回路板で、ねじ柱孔１５と相対する位置に、ねじ孔６１を有し、光反射ホルダ３の各給電ホルダ３５の相対する位置に、定位溝６５を有し、給電板５の下方の凸部に、嵌入させ、光反射ホルダ３のねじ柱孔３６の相対する位置に、ねじ孔６３を有し、ねじＡで、ねじ孔６３をねじ柱孔３６に、締め付け、発光ダイオードチップ７は、透明樹脂で複数のチップと複数の導電線と陰陽極の給電接続板７１，７２を一体に封止するもので、該給電接続板７１，７２を、チップ台座３１の給電ホルダ３５のなかに、嵌合固定し、給電板５の上方の凸部とも、嵌合導通するので、発光ダイオードチップ７の電気接続にはんだ溶接を用いられなくても、十分な導電機能を有するとなり、ランプ台座８は、ランプカバー１下方開口と相対する四角形の階段状なもので、外の階段面に、ランプカバー１の各ねじ柱孔１５と相対する位置に、ねじ孔８１を有し、前記ねじＡで、各ねじ孔８１とねじ孔６１とねじ柱孔１５を締め付け一体に固定し、外の階段面下の側壁に、複数の放熱孔８３を設け、ランプ台座８の中心下方に巻き環８９を凸設し、口金９は、従来の白熱電球の口金と同様であり、ランプ台座８下方の巻き環８９に取り付ける。
図３〜６に示すように、光反射ホルダ３には、複数のチップ台座３１を設け、各チップ台座３１の中央下に、給電ホルダ３５を凸設し、給電板５上方の凸部を給電ホルダ３５のなかに嵌合固定し、発光ダイオードチップ７の給電接続板７１，７２を給電ホルダ３５に穿入嵌合固定し、給電板５の上方の凸部とも、嵌合導通するので、発光ダイオードチップ７の電気接続にはんだ溶接を用いられなくても、十分な導電機能を有するとなる。さらに、各放熱孔１３，６６，８３は、良き対流な放熱効果ができるとなる。
図７〜８に示すように、別の実施例として、複数の発光ダイオード照明装置を一体に取り付け、同時に発光するとなる。